(57)【要約】【課題】  ファクシミリ手段を含む複数の手段を備え、省スペースかつ操作性に優れた操作部を備えたファクシミリ装置を提供する。【解決手段】  操作部３に配された入力キー７乃至１１から入力指示された設定に基づいてファクシミリ手段を含む複数の手段が実行可能なファクシミリ装置１において、操作部３にスライドカバー１４がスライド開閉可能に支持され、当該スライドカバー１４が、閉じた状態においてはファクシミリ手段に対する設定のみを入力指示するワンタッチキー１１を覆い隠し、開いた状態においては操作部３に収容される。【選択図】  図２
2006262102.tif 000002
【特許請求の範囲】
【請求項１】
操作部に配された入力キーから入力指示された設定に基づいてファクシミリ手段を含む複数の手段が実行可能なファクシミリ装置において、
前記操作部に覆体がスライド開閉可能に支持され、当該覆体が、閉じた状態においてはファクシミリ手段に対する設定のみを入力指示するファクシミリ手段専用入力キーを覆い隠し、開いた状態においては前記操作部に収容されることを特徴とするファクシミリ装置。
【請求項２】
前記覆体は、開いた状態においては、前記操作部に軸回転可能に支持され、垂下した状態で当該操作部の外壁に設けられた窪みに収容されることを特徴とする請求項１に記載のファクシミリ装置。
【請求項３】
前記覆体は、開いた状態においては、前記操作部に設けられた開口に収容されることを特徴とする請求項１に記載のファクシミリ装置。
【請求項４】
操作部に配された入力キーから入力指示された設定に基づいてファクシミリ手段を含む複数の手段が実行可能なファクシミリ装置において、
前記操作部に覆体がスライド開閉可能に支持され、当該覆体が、閉じた状態においてはファクシミリ手段に対する設定のみを入力指示するファクシミリ手段専用入力キーを覆い隠し、開いた状態においては前記操作部から垂下した状態で保持されることを特徴とするファクシミリ装置。
【請求項５】
前記覆体を開いたとき、ファクシミリ手段を実行可能な状態とすることを特徴とする請求項１から４の何れか１項に記載のファクシミリ装置。
【請求項６】
前記覆体を開いたとき、前記ファクシミリ手段専用入力キーに係る情報を前記操作部の表示部に表示させることを特徴とする請求項１から５の何れか１項に記載のファクシミリ装置。
【発明の詳細な説明】
【技術分野】
【０００１】
本発明は、ファクシミリ装置に関し、詳しくはファクシミリ手段の他、コピー手段等を有するファクシミリ装置の操作部に関するものである。
【背景技術】
【０００２】
ファクシミリ装置には、ファクシミリ手段の他、コピー手段、スキャナ手段、プリンタ手段等の他手段を合わせて実行可能な複合機がある。このような複合機の操作部には、各手段の各種機能設定等を入力指示するため、多数の入力キーが設けられている。そして、これら入力キーの操作性を高めるため、各手段の実行時に適するように入力キーの一部を覆い隠すことの可能な覆体を設けることがある。
【０００３】
例えば、特許文献１に開示された複合機の操作部は、使用頻度の低い特殊機能を実行させるための特殊機能入力キー等を覆う覆体を備えている。この操作部は、そのフレームの上面から前面にまたがるように設けた段部に前記特殊機能入力キー等が配され、段部全体を覆うカバーが開閉可能に軸支されている。そして、通常、当該覆体は閉じられ特殊機能入力キーを覆い隠し、使用頻度の高い入力キーのみが露出するので、操作性が向上する。
【０００４】
又、特許文献２に開示されたコピー手段、ファクシミリ手段、プリンタ手段を備えた複合機の操作部には、各手段に対応する一群の入力キーや表示部等を配する手段操作パネルが並設され、これら手段操作パネルの何れか１つのみを使用可能状態とする開閉覆体が設けられている。そして、このような開閉覆体の１つとして、並設された３つの手段操作パネルに対して、１つの手段操作パネルを覆い隠すパネル覆体が２枚それぞれスライド移動可能に設けられている。２枚のパネル覆体によって覆い隠されない１つの手段操作パネルのみが使用可能となるので、操作性が向上する。
【特許文献１】特開平１１−２０６９７号公報
【特許文献２】特開２０００−１３３９５６号公報
【発明の開示】
【発明が解決しようとする課題】
【０００５】
しかしながら、特許文献１に開示された複合機の操作部においては、覆体が開けられたとき、この開かれた蓋によって、操作部の特殊機能入力キー以外の入力キー等に対する操作性や視認性が悪化する問題があった。又、これら入力キー等を配するスペースが制限されるので、操作部の入力キー等を配するスペースが大きくなる問題があった。さらに、操作部から覆体が飛び出すように開かれるので、外観がすっきりとしない問題や、飛び出た覆体が使用者等にとって邪魔になる問題があった。
【０００６】
一方、特許文献２に開示された複合機の操作部においては、手段操作パネル毎に各手段に対応するテンキーを含む一群の入力キーや表示部等が配されるので、複数の手段に対する機能を複合的に入力可能な入力キー等や、複数の手段に対して共通に用いられるテンキーや表示部等を配して設置スペースの合理化を図った場合に比べて、操作部の入力キーや表示部等を配するスペースが非常に大きくなる問題があった。
【０００７】
本発明は、かかる問題を解決すべくなされたものであり、ファクシミリ手段を含む複数の手段を備え、省スペースかつ操作性に優れた操作部を備えたファクシミリ装置を提供することを目的とする。
【課題を解決するための手段】
【０００８】
上記目的を達成するために、請求項１に記載のファクシミリ装置は、操作部に配された入力キーから入力指示された設定に基づいてファクシミリ手段を含む複数の手段が実行可能なファクシミリ装置において、前記操作部に覆体がスライド開閉可能に支持され、当該覆体が、閉じた状態においてはファクシミリ手段に対する設定のみを入力指示するファクシミリ手段専用入力キーを覆い隠し、開いた状態においては前記操作部に収容されることを特徴としている。
【０００９】
請求項２に記載のファクシミリ装置は、請求項１に記載のファクシミリ装置において、前記覆体は、開いた状態においては、前記操作部に軸回転可能に支持され、垂下した状態で当該操作部の外壁に設けられた窪みに収容されることを特徴としている。
【００１０】
請求項３に記載のファクシミリ装置は、請求項１に記載のファクシミリ装置において、前記覆体は、開いた状態においては、前記操作部に設けられた開口に収容されることを特徴としている。
【００１１】
請求項４に記載のファクシミリ装置は、操作部に配された入力キーから入力指示された設定に基づいてファクシミリ手段を含む複数の手段が実行可能なファクシミリ装置において、前記操作部に覆体がスライド開閉可能に支持され、当該覆体が、閉じた状態においてはファクシミリ手段に対する設定のみを入力指示するファクシミリ手段専用入力キーを覆い隠し、開いた状態においては前記操作部から垂下した状態で保持されることを特徴としている。
【００１２】
請求項５に記載のファクシミリ装置は、請求項１から４の何れか１項に記載のファクシミリ装置において、前記覆体を開いたとき、ファクシミリ手段を実行可能な状態とすることを特徴としている。
【００１３】
請求項６に記載のファクシミリ装置は、請求項１から５の何れか１項に記載のファクシミリ装置において、前記覆体を開いたとき、前記ファクシミリ手段専用入力キーに係る情報を前記操作部の表示部に表示させることを特徴としている。
【発明の効果】
【００１４】
請求項１に記載のファクシミリ装置によれば、ファクシミリ手段以外の手段が実行可能なとき、覆体を閉じることにより、ファクシミリ手段専用入力キーが覆い隠されるので、所望の入力キーを識別することが容易になり、操作ミスが減少するため、操作性が向上する。又、覆体を開いたとき、当該覆体は操作部に収容されるので、操作部の入力キー等に対する操作性や視認性を良好に保つことができる。又、開いた覆体によっては入力キー等を配するスペースが制限されないので、操作部の入力キー等を配するスペースを大きくする必要がない。又、覆体を開いたときでも、操作部の外観がすっきりするとともに、覆体が使用者等に接触するおそれがなく、使用者等にとって邪魔にならない。
【００１５】
請求項２に記載のファクシミリ装置によれば、覆体を開いたとき、当該覆体は垂下した状態で操作部の外壁に設けられた窪みに収容されるので、入力キー等が配される操作部の上面のスペースを大きくする必要がない。
【００１６】
請求項３に記載のファクシミリ装置によれば、覆体を開いたとき、当該覆体は操作部に設けられた開口に収容されるので、入力キー等が配される操作部の上面のスペースを大きくする必要がない。
【００１７】
請求項４に記載のファクシミリ装置によれば、ファクシミリ手段以外の手段が実行可能なとき、覆体を閉じることにより、ファクシミリ手段専用入力キーが覆い隠されるので、所望の入力キーを識別することが容易になり、操作ミスが減少するため、操作性が向上する。又、覆体を開いたとき、当該覆体は操作部から垂下した状態で保持されるので、操作部の入力キー等に対する操作性や視認性を良好に保つことができる。又、開いた覆体によっては入力キー等を配するスペースが制限されないので、操作部の入力キー等を配するスペースを大きくする必要がない。又、覆体を開いたときでも、操作部上面の外観がすっきりする。
【００１８】
請求項５に記載のファクシミリ装置によれば、ファクシミリ手段専用入力キーを覆い隠す覆体を開いたとき、自動的にファクシミリ手段を実行可能な状態とするので、ファクシミリ手段を実行可能な状態に切り替える手間を省くことができ、操作性が向上する。
【００１９】
請求項６に記載のファクシミリ装置によれば、覆体を開いたとき、自動的にファクシミリ手段専用入力キーに係る情報が表示部に表示されるので、ファクシミリ手段専用入力キーに係る情報を表示させる手間を省くことができ、操作性が向上する。
【発明を実施するための最良の形態】
【００２０】
本発明の第１の実施の形態に係るファクシミリ装置について図面に基づき説明する。このファクシミリ装置１は、ファクシミリ手段の他にコピー手段が実行可能な複合機であり、図１に示すように、ファクシミリ手段やコピー手段を実行する装置本体部２と、該装置本体部２の前方に設けられた操作部３と、からなるものである。
【００２１】
前記装置本体部２は、フラットベッドスキャナとして機能する読取載置台４、該読取載置台４上の原稿を固定する原稿押えカバー５、画像が形成された用紙を排出収容する排紙収容部６を備えている。又、装置本体部２は、図示しないが、用紙に画像を形成する画像形成部、画像データを送受信する送受信部、画像を形成するための用紙を順次供給する用紙供給部、及び操作部３を含めたファクシミリ装置１の動作を制御する制御部を備えている。
【００２２】
このようにして、ファクシミリ装置１は、用紙供給部から画像形成部に用紙が搬送され、送受信部により受信された画像データが画像として画像形成部により用紙に形成されるととも、フラットベッドスキャナ等により読み取られた画像が画像データとして送受信部により送信されるものとしてファクシミリ手段が実現されている。又、ファクシミリ装置１は、用紙供給部から画像形成部に用紙が搬送され、フラットベッドスキャナ等により読み取られた画像が画像形成部により用紙に形成されるものとしてコピー手段が実現されている。なお、読み取り位置に原稿を自動的に搬送する自動原稿供給機構を原稿押えカバー５に設け、該自動原稿供給機構により供給される原稿の画像データをフラットベッドスキャナにより読み取るものとして、ファクシミリ手段やコピー手段を実現するものであってもよい。
【００２３】
前記操作部３は、装置本体部２の一部を構成する読取載置台４の前方に設けられている。操作部３には、使用者がファクシミリ装置１に対する動作指示や設定等の入力を行なうために多数の入力キー（ただし、入力ボタンを含む。）７乃至１１が配されている。具体的には、ファクシミリ手段が実行可能な状態（以下、「ファクシミリモード時」と記する。）やコピー手段が実行可能な状態（以下、「コピーモード時」と記する。）を設定するモード設定キー７、入力指示された設定等の実行を開始させるスタートキー８、ファクシミリ送信先やコピー部数等に関する数字を入力するためのテンキー９、各種設定や特殊機能を入力するための設定キー１０、ワンタッチキー（ファクシミリ手段専用入力キー）１１などが配されている。操作部３の特に上面の省スペース化を図るために、スタートキー８やテンキー９はファクシミリモード時とコピーモード時において共通に用いられ、設定キー１０にはファクシミリモード時とコピーモード時において異なった設定や機能を割り当てることもできる。又、操作部３には、ファクシミリ装置１の各種の設定状態や動作状態などを文字や図形などで表示する液晶表示装置（ＬＣＤ：Liquid Crystal Display）等の表示部１２が設けられており、ファクシミリモード時とコピーモード時において、それぞれに適した表示を行うことができる。
【００２４】
一方、前記ワンタッチキー１１は、予め各キーに対応させて登録させたファクシミリ送信先の番号及び当該送信先に係る送信設定等を使用者がワンタッチでキー入力できるものであり、ファクシミリモード時にのみ用いられ、コピーモード時には用いられない。これらワンタッチキー１１は、操作部３の一端側部にその上面から当該一端側の外壁側面にまたがって窪むように設けられた段部１３に配されている。そして、図２及び図３に示すように、当該段部１３の前後両側面には段差１３ａが、当該段部１３の前後両側面の上端部近傍の前記一端側には互いに向き合う一対の円柱状の凸部１３ｂがそれぞれ設けられている。
【００２５】
又、前記操作部３には、スライド開閉可能なスライドカバー（覆体）１４が支持されるいる。このスライドカバー１４は、閉じた状態においてはワンタッチキー１１を覆い隠し、開いた状態においては操作部３に収容される。スライドカバー１４は、全てのワンタッチキー１１を上方から覆い隠すことが可能な長方形状のカバー部１４ａと、該カバー部１４ａの一端側部から垂下する垂下部１４ｂと、からなる略Ｌ字状の断面を有する薄板状のものであり、例えば、操作部３の上面フレームを構成する樹脂や金属等と同じ材質からなる。なお、スライドカバー１４を閉じた状態においても覆い隠されるワンタッチキー１１が外部から目視可能なように、スライドカバー１４は透明な樹脂からなるものであってもよい。そして、前記カバー部１１ａの両側面には、その長手方向の両端部を除く全長に渡って凹部１４ｃが設けられている。この凹部１４ｃが前記段部１３の凸部１３ｂに遊嵌されるとともに、カバー部１４ａが前記段部１３の段差１３ａの上面に支持されることにより、スライドカバー１４が、操作部３にスライド開閉可能に支持されている。さらに、スライドカバー１４を開け切った状態においては、スライドカバー１４はその凹部１４ｃが段部１３の凸部１３ｂに軸支されることによって、操作部３に対して軸回転可能に支持され、垂下した状態で操作部３の外壁側面に設けられた窪み１５に収容される。この窪み１５は、前記段部１３から連続して操作部３の外壁側面に鉛直下方に延び、スライドカバー１４の外形に合わせて設けられている。なお、スライドカバー１４は、垂下部１４ｂを備えないものであってもよい。
【００２６】
このように、スライドカバー１４を閉じることによって、コピーモード時には用いられないワンタッチキー１１が覆い隠されるので、コピーモード時においては、所望の入力キーを識別することが容易になり、操作ミスが減少するため、操作性が向上する。又、スライドカバー１４は、開いた状態においては、操作部３の外壁側面に設けられた窪み１５に収容されるので、開いたスライドカバー１４によって操作部３の上面に配される各種の入力キー７乃至１１や表示部１２等の視認性や操作性を良好に保つことができる。又、開いたスライドカバー１４によっては入力キー７乃至１１や表示部１２等を配する操作部３の上面のスペースが制限されないので、操作部３を省スペース化することができる。又、スライドカバー１４を開いたときでも、操作部３の外観がすっきりするとともに、使用者等にスライドカバー１４が接触するおそれがなく、使用者等に邪魔にならない。
【００２７】
さらに、スライドカバー１４を開いたとき、ファクシミリ装置１をファクシミリモードとすることが好ましい。例えば、スライドカバー１４が窪み１５に収容されたときに、スライドカバー１４と接触する接触センサ（不図示）を窪み１５に設け、当該接触センサがスライドカバー１４と接触したことを検出した場合に、前記制御部（不図示）がファクシミリ装置１をファクシミリモードとするようにすればよい。ワンタッチキー１１により入力を行うときにのみスライドカバー１４が開かれるので、自動的にファクシミリモードとすることにより、コピーモードから前記モード設定キー７によってファクシミリモードに切り替える必要がないため、操作性が向上する。
【００２８】
さらに、スライドカバー１４を開いたとき、ワンタッチキー１１に係る情報を前記表示部１２に表示させることが好ましい。例えば、前記接触センサがスライドカバー１４と接触したことを検出した場合に、前記制御部（不図示）が表示部１２にワンタッチキー１１に係る情報を表示させるようにすればよい。ワンタッチキー１１に係る情報とは、例えば、ワンタッチキー１１によってファクシミリ送信先を選択入力することを使用者に促す旨の情報や、予め各キーに対応させて登録されたファクシミリ送信先の番号及び当該送信先に係る送信設定等の情報や、ワンタッチキー１１に新たなファクシミリ送信先を登録することを使用者に促す旨の情報である。ワンタッチキー１１により入力を行うときにのみ、スライドカバー１４が開かれるので、自動的にワンタッチキー１１に係る情報を表示部１２に表示させることにより、ワンタッチキー１１に係る情報を表示させるために設定キー１０を操作する等の手間を省くことができ、ワンタッチキー１１による入力時における操作性が向上する。
【００２９】
以下、本発明の第２の実施の形態に係るファクシミリ装置について図面に基づき説明する。このファクシミリ装置１´は、ファクシミリ手段の他にコピー手段を備える複合機であり、図４及び図５に示すように、前記ファクシミリ装置１とは操作部３´のみ異なる。このファクシミリ装置１´の操作部３´においては、段部１６に配されたワンタッチキー１１を覆い隠すスライドカバー（覆体）１７が開口１８に収容される。
【００３０】
そして、この段部１６の前後両側面には段差１６ａが、当該段部１６の前後両側面の上端部近傍の一端側には互いに向き合う一対の円柱状の凸部１６ｂがそれぞれ設けられている。又、スライドカバー１７は、閉じた状態においてはワンタッチキー１１を覆い隠し、開いた状態においては操作部３´に収容される。スライドカバー１７は、全てのワンタッチキー１１を上方から覆い隠すことが可能な長方形状の薄板であり、操作部３´の上面フレームを構成する樹脂や金属等と同じ材質からなるものである。そして、スライドカバー１７の両側面には、その長手方向の両端部を除く全長に渡って凹部１７ａが設けられている。この凹部１７ａが前記段部１６の凸部１６ｂに遊嵌されるとともに、スライドカバー１７が前記段部１６の段差１６ａの上面に支持されることにより、スライドカバー１７が、操作部３´にスライド開閉可能に支持されている。さらに、スライドカバー１７が開いた状態においては、スライドカバー１７は操作部３´に設けられた開口１８に収容される。この開口１８は、段部１６から連続して操作部３´の一端部側に水平方向に開口されたものであり、その底面が段部１６の段差１６ａの上面と略同じ高さであり、スライドカバー１７を略全部収容可能なものである。
【００３１】
このように、スライドカバー１７を閉じることによって、コピーモード時には用いられないワンタッチキー１１が覆い隠されるので、コピーモード時においては、所望の入力キーを識別することが容易になり、操作ミスが減少するため、操作性が向上する。又、スライドカバー１７は、開いた状態においては、操作部３´の開口１８に収容されるので、開いたスライドカバー１７によって操作部３´の上面に配される各種の入力キー７乃至１１や表示部１２等の視認性や操作性を良好に保つことができる。又、開いたスライドカバー１７によっては入力キー７乃至１１や表示部１２等を配する操作部３´の上面のスペースが制限されないので、操作部３´を省スペース化することができる。又、スライドカバー１７を開いたときでも、操作部３´の外観がすっきりするとともに、使用者等にスライドカバー１７が接触するおそれがなく、使用者等にとって邪魔にならない。又、開口１８の上方の操作部３´の上面には、各種入力キーや表示部等を設けたり、操作方法の説明等を記載することが可能であるので、操作部３´の上面のスペースを無駄にすることがない。
【００３２】
さらに、前記ファクシミリ装置１と同様に、例えば、スライドカバー１７が開口１８に収容されたときに、スライドカバー１７と接触する接触センサ（不図示）を開口１８に設けることにより、スライドカバー１７を開いたとき、ファクシミリ装置１´をファクシミリモードとすることや、ワンタッチキー１１に係る情報を前記表示部１２に表示させることが好ましい。
【００３３】
以下、本発明の第３の実施の形態に係るファクシミリ装置について図面に基づき説明する。このファクシミリ装置１”は、ファクシミリ手段の他にコピー手段を備える複合機であり、図６から図８に示すように、前記ファクシミリ装置１とは操作部３”のみ異なる。このファクシミリ装置１”の操作部３”においては、段部１９に配されたワンタッチキー１１を覆い隠すスライドカバー（覆体）２０が操作部３”から垂下された状態で保持される。
【００３４】
そして、この段部１９の操作部３”の側壁２１側の端部には前後方向両端に切欠を有する段差１９ａが、当該段部１９の前後両側面の側壁２１側の上端部近傍には互いに向き合う一対の円柱状の凸部１９ｂがそれぞれ設けられている。又、スライドカバー２０は、閉じた状態においてはワンタッチキー１１を覆い隠し、開いた状態においては操作部３”の側壁２１に沿って操作部３”から垂下された状態で保持される。スライドカバー２０は、全てのワンタッチキー１１を上方から覆い隠すことが可能な長方形状のカバー部２０ａと、該カバー部２０ａの他端部側から垂下する垂下部２０ｂと、からなる略Ｌ字状の断面を有する薄板のものであり、例えば、操作部３”の上面フレームを構成する樹脂や金属等と同じ材質からなるものである。そして、スライドカバー２０の両側面には、その両端部を除く略Ｌ字状の全長に渡って凹部２０ｃが設けられている。この凹部２０ｃが前記段部１９の凸部１９ｂに遊嵌されるとともに、カバー部２０ａが前記段部１９の段差１９ａの上面に支持され、垂下部２０ｂの先端部が段部１９の底面に接することにより、スライドカバー２０が、操作部３”にスライド開閉可能に支持されている。さらに、スライドカバー２０を開き切った状態においては、スライドカバー２０は垂下部２０ｂの先端側の凹部２０ｃにて段部１９の凸部１９ｂに軸支されることによって、操作部３”に対して軸回転可能に支持され、垂下した状態でカバー部２０ａが側壁２１と当接することにより、操作部３”の側壁２１に沿って保持される。
【００３５】
このように、スライドカバー２０を閉じることによって、コピーモード時には用いられないワンタッチキー１１が覆い隠されるので、コピーモード時においては、所望の入力キーを識別することが容易になり、操作ミスが減少するため、操作性が向上する。又、スライドカバー２０は、開いた状態においては、操作部３”の側壁２１に沿って操作部３”から垂下した状態で保持されるので、開いたスライドカバー２０によって操作部３”の上面に配される各種の入力キー７乃至１１や表示部１２等の視認性や操作性を良好に保つことができる。又、開いたスライドカバー２０によっては入力キー７乃至１１や表示部１２等を配する操作部３”の上面のスペースが制限されないので、操作部３”を省スペース化することができる。又、スライドカバー２０を開いたときでも、操作部３”上面の外観がすっきりするとともに、操作部３”の手前側に位置しファクシミリ装置１”を使用する使用者等にスライドカバー２０が接触するおそれがなく、使用者等にとって邪魔にならない。
【００３６】
さらに、例えば、スライドカバー２０が閉じ切ったときに、スライドカバー２０と接触する接触センサ（不図示）を段部１９に設けることにより、スライドカバー２０を開いたとき、ファクシミリ装置１”をファクシミリモードとすることや、ワンタッチキー１１に係る情報を前記表示部１２に表示させることが好ましい。
【００３７】
なお、本発明に係るファクシミリ装置は、本発明の実施の形態として示したファクシミリ装置１，１´，１”に限定されるものではなく、本発明の要旨を逸脱しない範囲内で適宜設計変更できることは勿論である。例えば、スライドカバーは、ワンタッチキー１１を覆い隠すものの他に、送信方法設定キー、同報送信設定キー、親展送信設定キー等のファクシミリモード時にのみ用いる設定キー１０等を覆い隠すものであってもよい。又、スライドカバーを複数設けてもよい。又、スライドカバーを前後方向にスライド可能に支持し、閉じた状態においては、垂下して操作部の前壁に設けた窪みに収容されたり、操作部の前壁に沿って操作部から垂下した状態で保持されるものであってもよい。又、ファクシミリ装置が、ファクシミリ手段やコピー手段の他に、スキャナ手段やプリンタ手段等の他の手段を備えるものであってもよい。
【図面の簡単な説明】
【００３８】
【図１】本発明の第１の実施の形態に係るファクシミリ装置１の概略外観を示す斜視図である。
【図２】（ａ）はスライドカバー１４を閉じた状態、（ｂ）はスライドカバー１４を途中まで開いた状態、（ｃ）はスライドカバー１４を開けて収納した状態、それぞれにおける図１に示したファクシミリ装置１の操作部３の端部を示す概略外観斜視図である。
【図３】（ａ）はスライドカバー１４を閉じた状態、（ｂ）はスライドカバー１４を途中まで開いた状態、（ｃ）はスライドカバー１４を開けて収納した状態、それぞれにおける図２に示した操作部３の端部を示す概略断面図である。
【図４】本発明の第２の実施の形態に係るファクシミリ装置１´の概略外観を示す斜視図である。
【図５】（ａ）はスライドカバー１７を閉じた状態、（ｂ）はスライドカバー１７を途中まで開いた状態、（ｃ）はスライドカバー１７を開けて収納した状態、それぞれにおける図４に示したファクシミリ装置１´の操作部３´の概略断面図である。
【図６】本発明の第３の実施の形態に係るファクシミリ装置１”の概略外観を示す斜視図である。
【図７】（ａ）はスライドカバー２０を閉じた状態、（ｂ）はスライドカバー２０を途中まで開いた状態、（ｃ）はスライドカバー２０を開け切った状態、それぞれにおける図６に示したファクシミリ装置１”の操作部３”の端部を示す概略外観斜視図である。
【図８】（ａ）はスライドカバー２０を閉じた状態、（ｂ）はスライドカバー２０を途中まで開いた状態、（ｃ）はスライドカバー２０を開け切った状態、それぞれにおける図７に示した操作部３”の端部を示す概略断面図である。
【符号の説明】
【００３９】
１、１´、１”  ファクシミリ装置
３、３´、３”  操作部
７  モード設定キー（入力キー）
８  スタートキー（入力キー）
９  テンキー（入力キー）
１０  設定キー（入力キー）
１１  ワンタッチキー（ファクシミリ手段専用入力キー）
１２  表示部
１３、１６、１９  段部
１４、１７、２０  スライドカバー（覆体）
１５  窪み
１８  開口
【図１】
2006262102.tif 000003
【図２】
2006262102.tif 000004
【図３】
2006262102.tif 000005
【図４】
2006262102.tif 000006
【図５】
2006262102.tif 000007
【図６】
2006262102.tif 000008
【図７】
2006262102.tif 000009
【図８】
2006262102.tif 000010